(57)【要約】【課題】自動販売機への飲料缶等の飲料製品を,一度により多く短時間にかつ容易に供給することができる自動販売機への製品供給用パッケージを提供することにある。【解決手段】複数の飲料製品３を収納するパッケージ１において、パッケージ１内に複数の飲料製品３を収納する空洞部１１ａ、１１ｂを、仕切板部６を介して２段以上に形成するとともに、少なくとも下段の空洞部１１ｂの先端部の蓋片部１４ｂを開閉可能に形成し、かつ、上段の空洞部１１ａの先端部寄りに、上段の空洞部１１ａに収納した飲料製品３を下段に落下させる開口部１３を設けた。【選択図】  図６
2005338910.tif 000002
【特許請求の範囲】
【請求項１】
複数の飲料製品を収納するパッケージにおいて、パッケージ内に複数の飲料製品を収納する空洞部を、仕切板部を介して２段以上に形成するとともに、少なくとも下段の空洞部の先端部の蓋片部を開閉可能に形成し、かつ、上段の空洞部の先端部側に、上段の空洞部に収納した飲料製品を下段に落下させる開口部を設けた構成を特徴とする自動販売機への製品供給用パッケージ。
【請求項２】
飲料製品は、清涼飲料や酒またはビールを充填した飲料缶、飲料ビン、ペットボトルまたは紙パックであることを特徴とする請求項１記載の自動販売機への製品供給用パッケージ。
【発明の詳細な説明】
【技術分野】
【０００１】
本発明は、主に缶コーヒーや缶ジュース等の缶入り飲料水を自動販売機に供給するのに使用すると有用な自動販売機への製品供給用パッケージに関するものである。
【背景技術】
【０００２】
一般に各所に設置されている各種の飲料缶やペットボトル等の製品の自動販売機にあっては、種類毎に振り分けられて各製品毎に仕切られた通路に供給されており、購入されて少なくなったり品切れになったりする製品を人手によって定期的に補充している。
【０００３】
この製品補充の場合、自動販売機の前の扉を開けて、少なくなったり品切れになっている種類の製品をパッケージから１本ずつ取り出して、所望の製品の投入口から中に落とし入れている。
【０００４】
しかしながら、このようなやり方で自動販売機に製品を補充していたのでは、時間も手間もかかり、暑い夏場などは甚だ大変であった。
【０００５】
そこで、従来から下記の特許文献に示すような飲料缶等の供給具が提案されている。しかし、特許文献１に記載のものは、複数の飲料缶を詰めるダンボールケースと、このダンボールケースから飲料缶を取り出す取り出し具からなり、自動販売機に飲料缶を供給する場合は、ダンボールケースからその都度、取り出し具で複数の飲料缶を掬って取り出し、この取り出した複数の飲料缶を、取り出し具を介して自動販売機の飲料缶投入口まで移動させて供給する、といった作業を何回も繰り返さねばならず手間もかかり大変であった。
【０００６】
また、特許文献２に記載のものは、複数の飲料缶を横1列に並べて収納した充填箱を、大箱に複数個収納し、自動販売機に飲料缶を供給する場合には、大箱を開けて充填箱を1箱ずつ取り出し、この充填箱を開けて自動販売機の飲料缶投入口まで移動させて供給するものであった。そのため、供給する本数によって大箱から何回も充填箱を取り出して開封し、供給しなければならないため、甚だ手間と労力を必要とする。また、作業性等の観点から充填箱の長さもあまり長くすることはできず、1箱の充填箱に詰められる飲料缶の数もおのずと限られてしまい、一度により多くの飲料缶を自動販売機に供給することはできない。
【０００７】
また、特許文献３に記載のものは、複数の飲料缶を上下２段に収納し、自動販売機に供給する場合には、ケースの一端を開放して自動販売機の飲料缶投入口から供給するといったものである。しかし、このものでは供給時に上下段の飲料缶が同時に滑り落ちたり崩れ落ちたりして、上記の投入口から飛び落ちてしまうといった懸念がある。
【０００８】
また、特許文献４に記載のものは、複数の飲料缶を横1列に並べた収納した供給具であって、自動販売機に供給する場合には、供給具の一端を自動販売機の飲料缶投入口に位置させて中に供給するといったものである。そのため、上記した特許文献２に記載のものと同様に、作業性等の観点から供給具の長さも制約され、1個の供給具に詰められる飲料缶の数も限られてしまい、一度により多くの飲料缶を自動販売機に供給することはできない。
【０００９】
さらに、特許文献５に記載のものも、複数の飲料缶を横1列に並べた収納したケースであって、自動販売機に供給する場合には、ケースの一部を開放してその開放部を自動販売機の飲料缶投入口に位置させて中に供給するといったものであり、やはり一度により多くの飲料缶を自動販売機に供給することはできない。
【００１０】
【特許文献１】特開平５−３４６９８４号公報
【特許文献２】特開平７−１４６９６９号公報
【特許文献３】特開平１０−１４３７３８号公報
【特許文献４】実開平５−１２９８４号公報
【特許文献５】登録実用新案第３０７５０５５号公報
【発明の開示】
【発明が解決しようとする課題】
【００１１】
本発明は上記のような点に鑑みて開発されたものである。その目的とするところは、自動販売機への飲料缶等の飲料製品を,一度により多く短時間にかつ容易に供給することができる自動販売機への製品供給用パッケージを提供することにある。
【課題を解決するための手段】
【００１２】
本発明は上記の目的を有効に達成するために、次のような構成にしてある。すなわち、本発明の自動販売機への製品供給用パッケージは、複数の飲料製品を収納するパッケージにおいて、パッケージ内に複数の飲料製品を収納する空洞部を、仕切板部を介して２段以上に形成するとともに、少なくとも下段の空洞部の先端部の蓋片部を開閉可能に形成し、かつ、上段の空洞部の先端部側に、上段の空洞部に収納した飲料製品を下段に落下させる開口部を設けた構成にしてある。
【００１３】
請求項２記載の本発明の自動販売機への製品供給用パッケージは、請求項１記載の自動販売機への製品供給用パッケージにおいて、飲料製品は、清涼飲料や酒またはビールを充填した飲料缶、飲料ビン、ペットボトルまたは紙パックである。
【発明の効果】
【００１４】
本発明の構成によれば、各空洞部にそれぞれ複数の飲料製品を収納しておき、自動販売機に飲料製品を供給するときに、パッケージの後部を持ち上げて先端部を低くするとともに、下段の空洞部の先端の蓋片部を開けることにより、先ず下段の空洞部に収納された飲料製品が順次供給され、下段の空洞部の飲料製品が無くなると同時に上段の空洞部に収納されている飲料製品が開口部から下段の空洞部に落下して自動販売機内に供給されていく。このようにパッケージの後部を持ち上げて蓋片部を開けるだけで、パッケージ内の２段以上の空洞部に収納されている複数の飲料製品を、容易にかつ素早く自動販売機に供給することができ、作業効率を向上させることができる。
【発明を実施するための最良の形態】
【００１５】
図１〜図７は、本発明にかかる一例の自動販売機への製品供給用パッケージ（以下、パッケージという。）に関する図である。このパッケージ１は、飲料の自動販売機２に例えば各種のコーヒやジュース等の飲料缶（飲料製品）３を供給したり（補充したり）するのに有用な構造のものである。
【００１６】
すなわち、パッケージ１は、例えば合成樹脂製のシート材を図２に示すような所定形状に形成するとともに所定箇所に折曲げ線部４を形成してなるパッケージシート５と、このパッケージシート５を各折曲げ線部４で所定方向に折り曲げて直方体形状の外箱体１ａ(図１参照)を組立てる際に内部空間を２段に仕切るための上記シート材と同材の仕切板部６とによって構成されている。
【００１７】
仕切板部６(図３、図１参照)は、上記の外箱体１ａと略同じ幅で、外箱体１ａより飲料缶３の直径分位短い長さの略長方形状であって、長手方向の両側に接続片部７を有している。
【００１８】
パッケージ１は、パッケージシート５を各折曲げ線部４で折り曲げ、一部の接続片部８を対応箇所に貼り付けて直方体形状の外箱体１ａを組立て形成し、内部を仕切る仕切板部６を外箱体１ａの高さ方向の中間の長手方向に配して接続片部８を外箱体１ａの内面に取り付ける。このことによりパッケージ１内は、仕切板部６によって上下２段の空洞部１１ａ、１１ｂに分けられ、上段の空洞部１１ａには７本の飲料缶３を横一列に並べて収納でき、下段の空洞部１１ｂには８本の飲料缶３を横一列に並べて収納できる．
【００１９】
また、上記した仕切り板部６を外箱体１ａ内に取り付ける場合は(図４参照)、外箱体１ａの後端部９に、仕切板部６の後端部１０を位置させて取り付ける。このことにより外箱体１ａより長さの短い仕切板部６の先端側６ａ、すなわち、上段の空洞部１１ａの先端部１２側には、１個の飲料缶３が下段の空洞部１１ｂに自然落下できる大きさの開口部１３が形成される。
【００２０】
このような構成からなるパッケージ１にあっては、蓋片部１４ｃを閉じるとともに、他の蓋片部１４ａ，１４ｂを開放し、下段の空洞部１１ｂに８本の飲料缶３を入れ、上段の空洞部１１ａには７本の飲料缶３を入れて各蓋片部１４ａ，１４ｂを閉じる。また、各蓋片部１４ａ，１４ｂ，１４ｃは、開かないように粘着テープ等で止めておくとよい。
【００２１】
このようにして梱包した飲料缶３入りパッケージ１によって、自動販売機２に飲料缶３を供給（補充）する場合は(図７参照)、自動販売機２の扉１５を開け、次にパッケージ１の下段側の蓋片部１４ｂを開けて自動販売機２の所望の飲料缶投入口１６に、開けた蓋片部１４ｂを少し挿入してパッケージ１の後ろを持ち上げて飲料缶投入口１６側に傾ける。
【００２２】
このようにすることによりパッケージ１内の下段の空洞部１１ａに収納してある飲料缶３は、先頭側から順次転がって自動販売機２の飲料缶投入口１６から中に供給（補充）されていく。下段側の飲料缶３の投入が完了すると自然に上段の空洞部１１ｂに収納してある飲料缶３も、仕切板部６の開口部１３から順次、下段の空洞部１１ａ内に落下して、自動販売機２の飲料缶投入口１６から中に供給（補充）されていく。
【００２３】
このようにパッケージ１の蓋片部１４ｂを開けて傾けるだけで、容易にかつ手間取ることもなく短時間に自動販売機２に複数の飲料缶３を供給（補充）することができる。
【００２４】
なお、本発明のパッケージは、上記した例のパッケージ１に限定されるものではなく、図８に示すように仕切板部６を介して空洞部１７を３段,或いは４段以上形成したものであってもよい。また、各空洞部の大きさは、上記した例のような飲料缶３を上段に７本,下段に８本収納できる大きさに限定されるものではなく、７本以上、或いは７本以下の本数を収納できる大きさであってもよい。パッケージの幅も、収納する製品の大きさに合わせて決めればよい。さらに、パッケージの材質は合成樹脂製に限らず、ダンボールや厚紙等の紙製や、軽量金属製または木製であってもよい。また、仕切板部は、外箱体１ａと略同じ長さであって、一端部寄りに飲料製品の落下できる開口部を切り欠き形成したものであってもよい。さらに、上記した図示の例では飲料製品を清涼飲料や酒またはビールを充填した飲料缶を想定したが、各種の飲料を充填した飲料ビン、ペットボトルまたは紙パックであってもよい。
【００２５】
勿論、本発明のパッケージは、飲料水以外のものを入れた製品を入れるパッケージとして使用してもよい。また、上記した図示の例のパッケージ１は、パッケージシート５と仕切り板部６とは別体であるが、一体形成したパッケージであってもよい。またパッケージシート５も図示の例に限らず、その他の形状に形成したり、接続片部８の位置を変えたりしてもよい。各接続片部の対応箇所への取り付けは、接着剤による貼り付けでも、止め金具で止めるも自由である。さらに、上記した例のパッケージ１のように下段の空洞部１１ｂの先端部の蓋片部１４ｂ以外の蓋片部１４ａ，１４ｃも開閉可能に形成するも、或いは蓋片部１４ａを開閉可能に形成し、蓋片部１４ｃは開閉できないように固定して設けるように構成してもよい。
【図面の簡単な説明】
【００２６】
【図１】本発明の一例のパッケージの斜視図である。
【図２】本発明の一例のパッケージの外箱体の展開図である。
【図３】本発明の一例のパッケージの仕切板部の展開図である。
【図４】本発明の一例のパッケージに飲料缶を入れた状態の縦断面図である。
【図５】本発明の一例のパッケージの蓋片部１４ｂを開いた状態の説明図である。
【図６】本発明の一例のパッケージの使用時における蓋片部１４ｂを開いた状態の縦断面の説明図である。
【図７】本発明の一例のパッケージを使用して自動販売機に飲料製品を供給する場合の説明図である。
【図８】本発明の他の例のパッケージに飲料缶を入れた状態の縦断面図である。
【符号の説明】
【００２７】
１        製品供給用パッケージ
２        自動販売機
３        飲料缶（飲料製品）
６        仕切板部
１１ａ    空洞部
１１ｂ    空洞部
１３      開口部
１４ａ    蓋片部
１４ｂ    蓋片部
１４ｃ    蓋片部
【図１】
2005338910.tif 000003
【図２】
2005338910.tif 000004
【図３】
2005338910.tif 000005
【図４】
2005338910.tif 000006
【図５】
2005338910.tif 000007
【図６】
2005338910.tif 000008
【図７】
2005338910.tif 000009
【図８】
2005338910.tif 000010